(57)【要約】【課題】  音声や音楽等の複数の音源を利用して、多様な形態での音楽プログラムを提供することができるオーディオ装置を提供する。【解決手段】  ＣＤ再生装置のレコーダ部には、録音された音声データ１６０が記録される。そして、手動又は自動でリンクが実行された場合に更新される。音声データ１６０は、録音毎に、録音ファイル識別子、ファイル名、付加情報、コンテンツに関するデータを含んで構成される。更に、後述するリンク処理が行なわれた場合には、リンクデータ１６１が記録される。このリンクデータ１６１は、リンク先のタイトル、アーティスト名、アルバム名、トラック番号等に関するデータを含んで構成される。そして、再生時には、リンクデータ１６１を含むＴＯＣデータ３０１を備えた音楽のＣＤ３０の楽曲を再生する。【選択図】      図２
2006114179.tif 000002
【特許請求の範囲】
【請求項１】
オーディオファイルを格納する第１、第２のオーディオソースと、オーディオファイルの出力を制御する制御手段とを備えたオーディオ装置であって、
前記第１のオーディオソースに格納された各オーディオファイルと、前記第２のオーディオソースに格納されるオーディオファイルとを関連付けるためのリンクデータを記録するリンクデータ記憶手段を備え、
前記制御手段は、前記第１のオーディオソースに格納されたオーディオファイルの出力時に、前記リンクデータにより関連付けられたオーディオファイルを前記第２のオーディオソースにおいて特定して出力することを特徴とするオーディオ装置。
【請求項２】
前記第１、第２のオーディオソースには、各オーディオファイルに対して属性情報が記録されており、
前記制御手段は、
前記第１のオーディオソースに格納されたオーディオファイルの属性情報を特定し、この属性情報と、前記第２のオーディオソースに格納されたオーディオファイルの属性情報とを比較し、少なくとも一部が一致するオーディオファイルを特定し、
リンク対象となるオーディオファイルが特定された場合には、このオーディオファイルについてのリンクデータを前記リンクデータ記憶手段に記録することを特徴とする請求項１に記載のオーディオ装置。
【請求項３】
放送を受信する受信手段を備え、
前記第１のオーディオソースには、前記受信手段が受信したコンテンツデータをオーディオファイルとして格納することを特徴とする請求項１又は２に記載のオーディオ装置。
【請求項４】
前記制御手段は、予約設定された放送局及び放送開始時刻を記録するメモリを備え、
前記放送開始時刻に至った場合、前記放送局における放送を受信し、前記第１のオーディオソースに、前記受信手段が受信したコンテンツデータをオーディオファイルとして格納することを特徴とする請求項３に記載のオーディオ装置。
【請求項５】
前記受信手段は、主音声とともに提供された付加情報を受信し、
前記第１のオーディオソースに格納されるオーディオファイルの属性情報は、前記付加情報であることを特徴とする請求項３又は４に記載のオーディオ装置。
【発明の詳細な説明】
【技術分野】
【０００１】
本発明は、音声や音楽等の複数の音源（オーディオソース）を利用して、多様な形態での音楽プログラムを提供するオーディオ装置に関するものである。
【背景技術】
【０００２】
今日、オーディオ機器も、ハードディスク装置等の大容量データ記憶装置を搭載し、ＣＤ（Compact Disc）から音楽を録音し、後で再生して楽しむことができる。その際、再生順序を変更したり、同じ曲を何回も再生したりする機能により、全体の雰囲気を変えて楽しむことができる。また、ＦＭ放送等を受信可能なオーディオ機器には、受信可能なラジオ放送の周波数を検索するオートチューニング機能や番組録音機能などの機能が装備されているものもある。更に、利用者によって聴取されたラジオ放送の内容から得た情報を、利用者の要求に応じて提供する情報提供システムも開示されている（例えば、特許文献１参照。）。この情報提供システムでは、利用者端末からの要求に応答して、ラジオ放送における番組・ＣＭに関する情報提供を行うデータベースを検索する。そして、利用者の要求に応じた情報を利用者端末に通信ネットワークを介して送信する。
【０００３】
更に、番組ガイド等に利用されている音楽放送での曲名や演奏者等の付加情報が提供されている。この情報はデジタル放送受信機を用いれば受信できるが、従来の記録方式においては、直接、受信機からＭＤ（Mini Disc）に出力することはできなかった。このため
、音声データを記録後に、ＭＤのキー操作で入力することができるデジタル放送受信機も開示されている（例えば、特許文献２参照。）。このデジタル放送受信機では、受信して復元した曲名や演奏者名等の付加情報を出力する機能を設けるとともに、ＭＤに付加情報を入力する機能と、メモリに蓄積する機能と、記録媒体に記録する機能とを設ける。
【特許文献１】特開２００２−３４２４２０号公報（図１）
【特許文献２】特開２０００−２０７８３９号公報（図１）
【発明の開示】
【発明が解決しようとする課題】
【０００４】
しかし、ハードディスク装置等の大容量データ記憶装置にたくさんの音楽を蓄積したとしても、利用者の趣向を考慮すると再生される音楽は限られる。従来のオーディオ機器の各種機能を用いたとしても再生順序が異なるだけであり、雰囲気に変化がないため、結局、飽きてしまうことがある。また、特許文献１や特許文献２に記載された技術を用いて、録音した番組等についての付加情報を記録したとしても、多様な雰囲気で音楽等を提供することは困難である。
【０００５】
本発明は、上記問題点を解決するためになされたものであり、その目的は、音声や音楽等の複数の音源を利用して、多様な形態での音楽プログラムを提供することができるオーディオ装置を提供することにある。
【課題を解決するための手段】
【０００６】
本発明は、第１のオーディオソースに格納された各オーディオファイルと、第２のオーディオソースに格納されたオーディオファイルとが関連付けて記録される。そして、第１のオーディオソースに格納されたオーディオファイルの出力時に、リンクデータにより関連付けられたオーディオファイルを出力する。このため、第１のオーディオソースにＤＪ等の楽曲情報などの音声ファイルを記録し、第２のオーディオソースに音楽ＣＤ等を用いれば、音楽の再生に合わせてＤＪ等の楽曲情報などの音声を再生することができる。既に録音されている楽曲、あるいは後で録音されている楽曲とリンクしながら再生していくこ
とで、雰囲気を盛り上げながら音楽を楽しむことができる。また、リンク先を替えることにより新たな雰囲気を楽しむことができる。
【０００７】
更に、本発明では、制御手段が、第１のオーディオソースに格納されたオーディオファイルの属性情報と、第２のオーディオソースに格納されたオーディオファイルの属性情報とを比較し、少なくとも一部が一致するオーディオファイルを特定する。そして、リンク対象となるオーディオファイルが特定された場合には、このオーディオファイルについてのリンクデータをリンクデータ記憶手段に記録する。このため、属性情報に基づいて関連性がある２つのオーディオファイルの関連付けを行なうことができる。
【０００８】
また、本発明では、放送を受信する受信手段を更に備え、前記第１のオーディオソースには、受信手段が受信した音声をオーディオファイルとして格納する。放送においては、変化に富んだ多様な情報が音声で提供されているため、この音声を用いて関連付けを行なうことができる。
【０００９】
また、本発明では、予約設定された放送局及び放送開始時刻を記録するメモリを備える。そして、放送開始時刻になった場合、放送を受信し、第１のオーディオソースに受信した音声をオーディオファイルとして格納する。このため、効率的にオーディオファイルを蓄積することができる。
【００１０】
また、本発明では、受信手段は主音声ともに付加情報を受信する。そして、この付加情報を用いて関連性がある２つのオーディオファイルの関連付けを行なうことができる。
【発明の効果】
【００１１】
本発明によれば、音声や音楽等の複数のオーディオソースを利用して、多様な形態での音楽プログラムを提供することができる。
【発明を実施するための最良の形態】
【００１２】
以下、本発明を具体化した一実施形態を図１〜図１０に従って説明する。本実施形態では、ＦＭ放送で録音した音声と楽曲とを組み合わせて再生することができるオーディオ装置を説明する。図１に示すように、オーディオ装置としてのＣＤ再生装置１０は、制御手段としての制御部１１、デッキ部１２、信号再生処理部１３、スピーカ部１４、受信部１５、第１のオーディオソースとしてのレコーダ部１６、操作部１７、表示部１８を備える。
【００１３】
制御部１１は各処理部（１２〜１８）を制御する。制御部１１は、図示しない制御手段（ＣＰＵ）、メモリ（ＲＡＭ、ＲＯＭ等）等を有する。
デッキ部１２は、格納された第２のオーディオソースとしての音楽ＣＤを再生する。音楽のＣＤ３０には、図２に示すように、音楽プログラムなどが記録されているプログラムエリアと、このエリアのすぐ内・外周にリードイン、リードアウトというエリアが設けられ、ＣＤデータ３００が記録されている。プログラムエリアには、オーディオファイルとしてのコンテンツデータ３０２が記録されている。一方、リードインエリアの中に音楽プログラムを再生するための情報（Table of Contents：ＴＯＣデータ）が記録されている
。このＴＯＣデータ３０１には、ディスクに収録されている音楽プログラムのコンテンツに関する情報が記録されている。このＴＯＣデータにはタイトル、アーティスト名、アルバム名、トラック番号等に関するデータを含んで構成される。
【００１４】
信号再生処理部１３は、デッキ部１２、受信部１５、レコーダ部１６から受けた音声信号を増幅して、スピーカ部１４から出力するための信号に変換する。
受信部１５は、アンテナにより放送信号を受信する受信手段として機能する。本実施形
態は、受信部１５によりＦＭ信号、電子番組表データ、番組連動情報等を受信する。
【００１５】
さらに、ＣＤ再生装置１０は、操作部１７、表示部１８を備える。この操作部１７は、利用者の指示を入力するためのユーザインターフェイスである。一方、表示部１８は、利用者に情報を出力する。
【００１６】
レコーダ部１６には、図２に示すように、ＣＤ再生装置１０や受信部１５から提供された音声等を録音した音声データ１６０が記録される。本実施形態では、この音声データ１６０は、録音を行なった場合に記録される。そして、手動又は自動でリンクが実行された場合に更新される。音声データ１６０は、録音毎に、録音ファイル識別子、ファイル名、付加情報、コンテンツに関するデータを含んで構成される。
【００１７】
更に、後述するリンク処理が行なわれた場合には、リンクデータ１６１が記録される。このリンクデータ１６１は、リンク先のタイトル、アーティスト名、アルバム名、トラック番号等に関するデータを含んで構成される。このリンクデータ１６１が記録されたレコーダ部１６はリンクデータ記憶手段として機能する。
【００１８】
録音ファイル識別子は、録音ファイルを特定するために用いる識別子として録音時に割り振られる。本実施形態では、制御部１１が、録音時に各ファイルに対してユニークな連番を付与する。
【００１９】
ファイル名の初期値としては、録音日時と時刻から構成され、例えば、「2004-10-01-19-32-22」のように記録される。そして、利用者が操作部１７を利用して名称を設定した
場合には、この名称に更新されたデータが記録される。
【００２０】
付加情報は、この音声に関連する付加された属性情報から構成される。例えば、番組連動情報や電子番組表から入手した情報が記録される。
コンテンツデータ領域には、録音された音声データが記録される。本実施形態では、所定の音声圧縮技術（例えば、MPEG-1 Audio Layer-III：ＭＰ３）を用いて記録する。
【００２１】
タイトル〜トラック番号は、後述するリンク処理が行なわれた場合に記録される。このデータ領域には、音楽ＣＤのＴＯＣ情報と同じタイトル〜トラック番号に関するデータが利用される。そして、このリンクデータ１６１により、音声データ１６０と音楽ＣＤのコンテンツとがリンクされて関連付けられる。
【００２２】
上記のように構成されたＣＤ再生装置において、音楽と音声とを再生する場合の処理手順を、以下に説明する。大きくは、図３に示すように録音処理（ステップＳ１−１）、リンク処理（ステップＳ１−２）、再生処理（ステップＳ１−３）から構成される。
【００２３】
さらに、録音処理（ステップＳ１−１）には、手動録音モード処理、電子番組表利用録音モード処理及び番組連動情報利用録音モード処理がある。これらの各モードは、ＣＤ再生装置１０の表示部１８に表示された「録音モード選択」画面から選択される。
【００２４】
また、リンク処理（ステップＳ１−２）には、手動リンクモード処理、候補選択リンクモード処理、自動リンクモード処理及び分割リンクモード処理がある。これらの各モードは、ＣＤ再生装置１０の表示部１８に表示された「リンクモード選択」画面から選択される。
【００２５】
更に、再生処理（ステップＳ１−３）には、リンク再生モード処理、単一再生モード処理がある。これらの各モードは、ＣＤ再生装置１０の表示部１８に表示された「再生モー
ド選択」画面から選択される。以下、各処理の内容を説明する。
【００２６】
（手動録音モード処理）
次に、図４を用いて、手動録音モードにおける処理を説明する。この処理は、ＣＤ再生装置１０の表示部１８に出力された初期画面のガイドに従って、手動録音モードを選択することにより実行される。まず、この録音モードでは、制御部１１は、録音ボタンの押下を待つ（ステップＳ２−１において「ＮＯ」の場合）。そして、録音ボタンが押下された場合（ステップＳ２−１において「ＹＥＳ」の場合）、制御部１１は、録音を開始する（ステップＳ２−２）。具体的には、制御部１１は、受信部１５で受信した音声をレコーダ部１６に仮記録する。この録音は、録音停止ボタンが押下されるまで継続される（ステップＳ２−３において「ＮＯ」の場合）。
【００２７】
録音停止ボタンが押下された場合（ステップＳ２−３において「ＹＥＳ」の場合）には、制御部１１はファイル処理を実行する（ステップＳ２−４）。具体的に、制御部１１は、レコーダ部１６に仮記録された音声データに、録音ファイル識別子を付与し、レコーダ部１６に記録する。更に、制御部１１は、録音した音声ファイルに対するファイル名の入力を促す。
【００２８】
そして、制御部１１は、このモードの処理の解除について選択を促す画面を表示部１８に出力する（ステップＳ２−５）。モード解除が選択された場合（ステップＳ２−５において「ＹＥＳ」の場合）、制御部１１は初期画面を表示する。一方、モード解除が選択されない場合（ステップＳ２−５において「ＮＯ」の場合）には、ステップＳ２−１〜Ｓ２−５を繰り返す。以上により、手動録音モード処理の説明を終わる。
【００２９】
（電子番組表利用録音モード処理）
次に、図５を用いて、電子番組表利用録音モードにおける処理を説明する。この電子番組表は、電波の隙間を使って送出された番組表データを端末で受信する方式と、インターネット等のネットワークを介して受信する方式とがある。
【００３０】
この処理は、ＣＤ再生装置１０の表示部１８に出力された初期画面のガイドに従って、電子番組表利用録音モードを選択することにより実行される。まず、この録音モードでは、制御部１１は、電子番組表に基づいて録音予約を行なう（ステップＳ３−１）。具体的には、制御部１１は、電波の隙間を使って送信された電子番組表データを取得する。この電子番組表データは、番組名、内容説明、番組開始時刻、番組終了時刻に関するデータを含む。制御部１１は、受信した電子番組表を表示部１８に出力し、利用者に対して番組の選択を促す。そして、選択された番組の放送局、開始時刻、終了時刻を制御部１１のＲＡＭに記録する。さらに、この番組の番組名、内容説明に関するデータをレコーダ部１６に仮記録する。
【００３１】
そして、制御部１１は、内蔵時計で現在時刻を監視しながら番組開始時刻を待つ（ステップＳ３−２において「ＮＯ」）。番組開始時刻が到来した場合（ステップＳ３−２において「ＹＥＳ」の場合）、制御部１１は、予約された放送局の周波数にチューニングを行なって録音を開始する（ステップＳ３−３）。そして、制御部１１は、受信部１５で受信した音声をレコーダ部１６に仮記録する。この録音は、番組終了時刻が到来するまで継続される（ステップＳ３−４において「ＮＯ」）。番組終了時刻が到来した場合（ステップＳ３−４において「ＹＥＳ」の場合）、ファイル処理を実行する（ステップＳ３−５）。具体的に、制御部１１は、仮記録された音声データに、録音ファイル識別子を付与し、レコーダ部１６に記録する。更に、制御部１１は、仮記録された番組の番組名、内容説明に関するデータを、この音声データ１６０の付加情報として記録する。以上により、電子番組表利用録音モード処理の説明を終わる。
【００３２】
（番組連動情報利用録音モード処理）
次に、図６を用いて、番組連動情報利用録音モードにおける処理を説明する。この番組連動情報は放送されている番組に関する情報であり、主音声に対して多重化された電波を利用して送信される。
【００３３】
この処理は、ＣＤ再生装置１０の表示部１８に出力された初期画面のガイドに従って、電子番組連動情報利用録音モードを選択することにより実行される。まず、この録音モードでは、制御部１１は、表示部１８に番組連動情報利用録音モード初期画面を表示して、利用者にキーワードの入力を促す（ステップＳ４−１）。操作部１７を介して、キーワードが入力された場合、制御部１１は、ＲＡＭにキーワードデータを記録する。
【００３４】
制御部１１は、受信部１５を介して、番組の主音声とともに番組連動情報を受信する（ステップＳ４−２）。そして、制御部１１は、録音開始を待つ（ステップＳ４−３において「ＮＯ」）。具体的には、制御部１１は、ＲＡＭに記録されたキーワードと番組連動情報に含まれるワードとを比較して、このキーワードを含む番組連動情報を持つ。
【００３５】
そして、このキーワードを含む番組連動情報を取得した場合（ステップＳ４−３において「ＹＥＳ」の場合）、制御部１１は録音を開始する（ステップＳ４−４）。具体的には、制御部１１は、受信部１５で受信した音声をレコーダ部１６に仮記録する。さらに、この番組連動情報をレコーダ部１６に仮記録する。そして、この録音は、番組連動情報にキーワードが含まれる限り継続される（ステップＳ４−５において「ＮＯ」）。番組連動情報が変化し、番組連動情報の中にキーワードが含まれなくなった場合（ステップＳ４−５において「ＹＥＳ」の場合）、ファイル処理を実行する（ステップＳ４−６）。具体的に、制御部１１は、仮記録された音声データに、録音ファイル識別子を付与し、レコーダ部１６に記録する。更に、制御部１１は、仮記録された番組連動情報に関するデータを、この音声データ１６０の付加情報として記録する。
【００３６】
そして、制御部１１は、このモードの処理の解除について選択を促す画面を表示部１８に出力する（ステップＳ４−７）。モード解除が選択された場合（ステップＳ４−７において「ＹＥＳ」の場合）、制御部１１は初期画面を表示する。一方、モード解除が選択されない場合（ステップＳ４−７において「ＮＯ」の場合）には、ステップＳ４−２〜Ｓ２−７を繰り返す。以上により、番組連動情報利用録音モード処理の説明を終わる。
【００３７】
（手動リンクモード処理）
次に、図７を用いて、手動リンクモードにおける処理を説明する。この処理は、ＣＤ再生装置１０の表示部１８に出力された初期画面のガイドに従って、手動リンクモードを選択することにより実行される。
【００３８】
まず、制御部１１は、録音された音声ファイルの候補リストを表示部１８に表示する（ステップＳ５−１）。具体的には、制御部１１は、レコーダ部１６に格納された音声データ１６０を抽出し、リストに編集して表示部１８に出力する。この候補リストには、録音ファイル識別子、ファイル名を含める。さらに、音声データ１６０に、リンクデータ１６１が含まれている場合には、制御部１１は、このリンクデータ１６１に含まれるタイトル〜トラック番号等も併せて表示する。これにより、利用者は、まだリンク処理が行われていないファイルと、既にリンク処理を行なわれたファイルとを識別することができる。そして、制御部１１は、利用者の選択を待つ（ステップＳ５−２において「ＮＯ」）。利用者は、操作部１７を用いて、候補リストの中からリンク処理を行なう音声ファイルを選択する。
【００３９】
リンク処理を行なう音声ファイルが決定された場合（ステップＳ５−２において「ＹＥＳ」の場合）、制御部１１は、リンクを行なう楽曲ファイルの候補リストを表示部１８に表示する（ステップＳ５−３）。具体的には、制御部１１は、デッキ部１２に格納されたＣＤ３０から、ＴＯＣデータ３０１を抽出し、リストに編集して表示部１８に出力する。この候補リストには、ＴＯＣデータ３０１のタイトル、アーティスト名、アルバム名を含める。そして、制御部１１は、利用者の選択を待つ（ステップＳ５−４において「ＮＯ」）。
【００４０】
リンク処理を行なう楽曲ファイルが決定された場合（ステップＳ５−４において「ＹＥＳ」の場合）、制御部１１は、リンクデータ１６１として、抽出したＴＯＣデータ３０１を書き込む（ステップＳ５−５）。具体的には、制御部１１は、決定された楽曲ファイルのＴＯＣデータ３０１を抽出し、ステップＳ５−２において決定された音声データ１６０のリンクデータ１６１として、抽出したＴＯＣデータ３０１を書き込む。なお、ステップＳ５−１において既にリンクされている音声データ１６０が選択されている場合には、リンクデータ１６１の上書きを行なう。これにより、既にリンク処理の行なわれた音声データ１６０のリンク先を変更することができる。
【００４１】
そして、制御部１１は、このモードの処理の解除又は継続について選択を促す画面を表示部１８に出力する（ステップＳ５−６）。モード解除が選択された場合（ステップＳ５−６において「ＹＥＳ」の場合）、制御部１１は初期画面を表示する。一方、モードの継続が選択された場合（ステップＳ５−６において「ＮＯ」の場合）には、ステップＳ５−１〜Ｓ５−６を繰り返す。以上により、手動リンクモード処理の説明を終わる。
【００４２】
（候補選択リンクモード処理）
次に、図８を用いて、候補選択リンクモードにおける処理を説明する。このモードでは、ＣＤ３０のコンテンツの属性情報と、レコーダ部１６に記録されたコンテンツの属性情報とを比較してリンクを行なう。この処理は、ＣＤ再生装置１０の表示部１８に出力された初期画面のガイドに従って、候補選択リンクモードを選択することにより実行される。
【００４３】
ここでは、手動リンクモード処理と同様に、制御部１１は、録音された音声ファイルの候補リストを表示部１８に表示する（ステップＳ６−１）。そして、制御部１１は、利用者の選択を待つ（ステップＳ６−２において「ＮＯ」）。
【００４４】
リンク処理を行なう音声ファイルが決定された場合（ステップＳ６−２において「ＹＥＳ」の場合）、制御部１１は付加情報からリンク可能な楽曲ファイルを検索する（ステップＳ６−３）。具体的には、まず、制御部１１は、決定された音声データ１６０に記録された付加情報を抽出する。更に、デッキ部１２に格納されたＣＤ３０から、ＴＯＣデータ３０１を抽出する。そして、音声データ１６０の付加情報と、タイトル〜アルバム名とが、少なくとも一部でも一致するＴＯＣデータ３０１を検索する。
【００４５】
そして、制御部１１は、検索されたＴＯＣデータ３０１についての楽曲ファイルの候補リストを表示部１８に表示する（ステップＳ６−４）。具体的には、制御部１１は、デッキ部１２に格納されたＣＤ３０から、ＴＯＣデータ３０１を抽出し、リストに編集して表示部１８に出力する。この候補リストには、ＴＯＣデータ３０１のタイトル、アーティスト名、アルバム名を含める。そして、制御部１１は、利用者の選択を待つ（ステップＳ６−５において「ＮＯ」）。
【００４６】
リンク処理を行なう楽曲ファイルが決定された場合（ステップＳ６−５において「ＹＥＳ」の場合）、手動リンクモード処理と同様に、制御部１１は、リンクデータ１６１として、抽出したＴＯＣデータ３０１を書き込む（ステップＳ６−６）。そして、制御部１１
は、このモードの処理の解除又は継続について選択を促す画面を表示部１８に出力する（ステップＳ６−７）。モード解除が選択された場合（ステップＳ６−７において「ＹＥＳ」の場合）、制御部１１は初期画面を表示する。一方、モードの継続が選択された場合（ステップＳ６−７において「ＮＯ」の場合）には、ステップＳ６−１〜Ｓ６−７を繰り返す。以上により、候補選択リンクモード処理の説明を終わる。
【００４７】
（自動リンクモード処理）
次に、図９を用いて、自動リンクモードにおける処理を説明する。この処理は、ＣＤ再生装置１０の表示部１８に出力された初期画面のガイドに従って、自動リンクモードを選択することにより実行される。
【００４８】
ここでは、手動リンクモード処理と同様に、制御部１１は、録音された音声ファイルの候補リストを表示部１８に表示する（ステップＳ７−１）。そして、制御部１１は、利用者の選択を待つ（ステップＳ７−２において「ＮＯ」）。
【００４９】
リンク処理を行なう音声ファイルが決定された場合（ステップＳ７−２において「ＹＥＳ」の場合）、候補選択リンクモード処理と同様に、制御部１１は付加情報からリンク可能な楽曲ファイルを検索する（ステップＳ７−３）。
【００５０】
そして、制御部１１は、検索された楽曲ファイルについての関連度評価を行なう（ステップＳ７−４）。具体的には、制御部１１は、デッキ部１２に格納されたＣＤ３０のＴＯＣデータ３０１と、音声データ１６０の付加情報とを比較して関連度を算出する。ここでは、タイトル〜アルバム名等のうち一致する項目が多い順番に関連度を算出する。そして、最も関連度の高い楽曲ファイルをリンク先として決定する。
【００５１】
そして、リンク処理を行なう楽曲ファイルが決定された場合、手動リンクモード処理と同様に、制御部１１は、リンクデータ１６１として、抽出したＴＯＣデータ３０１を書き込む（ステップＳ７−５）。更に、制御部１１は、このモードの処理の解除又は継続について選択を促す画面を表示部１８に出力する（ステップＳ７−６）。モード解除が選択された場合（ステップＳ７−６において「ＹＥＳ」の場合）、制御部１１は初期画面を表示する。一方、モードの継続が選択された場合（ステップＳ７−６において「ＮＯ」の場合）には、ステップＳ７−１〜Ｓ７−６を繰り返す。以上により、自動リンクモード処理の説明を終わる。
【００５２】
（分割リンクモード処理）
次に、図１０を用いて、分割リンクモードにおける処理を説明する。この処理は、ＣＤ再生装置１０の表示部１８に出力された初期画面のガイドに従って、分割リンクモードを選択することにより実行される。
【００５３】
ここでは、手動リンクモード処理と同様に、制御部１１は、録音された音声ファイルの候補リストを表示部１８に表示する（ステップＳ８−１）。そして、制御部１１は、利用者の選択を待つ（ステップＳ８−２において「ＮＯ」）。
【００５４】
リンク処理を行なう音声ファイルが決定された場合（ステップＳ８−２において「ＹＥＳ」の場合）、制御部１１は、決定された音声ファイルの中から分割可能部分を検索する（ステップＳ８−３）。具体的には、制御部１１は、音声のレベルを検出し、そのレベルの変化度が大きい部分を分割可能部分と判定する。例えば、会話から音楽に変化した場合や、朗読のシーンが変わり抑揚が変化した場合を分割可能部分と判定する。
【００５５】
分割可能部分を検出できた場合（ステップＳ８−４において「ＹＥＳ」の場合）には、
この部分で音声ファイルを分割する（ステップＳ８−５）。分割可能部分を検出できなかった場合（ステップＳ８−４において「ＮＯ」の場合）には、この分割の処理をスキップする。
【００５６】
そして、自動リンクモード処理と同様に、制御部１１は付加情報からリンクな可能な楽曲ファイルを検索する（ステップＳ８−６）。そして、制御部１１は、検索された楽曲ファイルについての関連度評価を行なう（ステップＳ８−７）。リンク処理を行なう楽曲ファイルが決定された場合、制御部１１は、リンクデータ１６１として、抽出したＴＯＣデータ３０１を書き込む（ステップ８−８）。分割を行なった場合には、関連度の高い順番に複数のＴＯＣデータ３０１を特定し、これらを分割された音声ファイルに割り当て、リンクデータ１６１としてレコーダ部１６に記録する。
【００５７】
そして、制御部１１は、このモードの処理の解除又は継続について選択を促す画面を表示部１８に出力する（ステップＳ８−９）。モード解除が選択された場合（ステップＳ８−９において「ＹＥＳ」の場合）、制御部１１は初期画面を表示する。一方、モードの継続が選択された場合（ステップＳ８−９において「ＮＯ」の場合）には、ステップＳ８−１〜Ｓ８−９を繰り返す。以上により、分割リンクモード処理の説明を終わる。
【００５８】
（再生モード処理）
次に、再生モードにおける処理を説明する。この処理は、操作部１７の再生ボタンを押すことにより実行される。本実施形態において、再生を開始する音声データ１６０が指定された場合、制御部１１は、この音声データ１６０に続く録音ファイル識別子の連番順に再生を実行する。この再生モード処理には、リンク再生モード処理と単一再生モード処理とがある。再生ボタンが押された場合、表示部にリンク再生モード又は単一再生モードの選択を促す画面を表示する。そして、リンク再生モードでは、レコーダ部１６に記録された音声ファイルを再生する場合、この音声ファイルにリンクされた楽曲ファイルを検索しながら、音声ファイルと楽曲ファイルとを交互に再生する。一方、単一再生モードが選択された場合には、音声データ１６０のみの再生を行なう。このように、レコーダ部１６に記録された音声を利用しながら楽曲を再生することができる。
【００５９】
以上、本実施形態によれば、以下に示す効果を得ることができる。
・  上記実施形態では、レコーダ部１６には音声データ１６０が記録される。そして、音声データ１６０は、録音毎に、録音ファイル識別子、ファイル名、付加情報、コンテンツに関するデータを含んで構成される。更に、後述するリンク処理が行なわれた場合には、リンクデータ１６１が記録される。このため、録音ファイルに対して他のリソースから取得した音楽等をリンクさせることができる。従って、録音された音声とともに多様な雰囲気で音楽等を楽しむことができる。
【００６０】
・  上記実施形態では、リンクデータ１６１は、リンク先のタイトル、アーティスト名、アルバム名、トラック番号等に関するデータを含んで構成される。これにより、楽曲を特定することができる。
【００６１】
・  上記実施形態では、手動録音モードにおいて、録音ボタンが押下された場合、録音を開始する（ステップＳ２−２）。電子番組表利用録音モードにおいては、電子番組表に基づいて録音予約を行ない（ステップＳ３−１）、番組開始時刻が到来した場合、制御部１１は録音を開始する（ステップＳ３−３）。番組連動情報利用録音モードにおいては、利用者にキーワードの入力を促し、入力されたキーワードをＲＡＭに記録する。そして、ＲＡＭに記録されたキーワードを含む番組連動情報を取得した場合、制御部１１は録音を開始する（ステップＳ４−４）。このように、多様な方法を用いて、リンクを行なう音声ファイルを蓄積することができる。
【００６２】
・  上記実施形態では、手動リンクモードにおいて、リンク処理を行なう音声ファイルが決定された場合、制御部１１は、リンクを行なう楽曲ファイルの候補リストを表示部１８に表示し、利用者に選択を促す（ステップＳ５−３）。リンク処理を行なう楽曲ファイルが決定された場合、制御部１１は、リンクデータ１６１として、抽出したＴＯＣデータ３０１を書き込む（ステップＳ５−５）。これにより、利用者が希望する２つのファイルをリンクさせることができる。
【００６３】
・  上記実施形態では、候補選択リンクモードにおいて、リンク処理を行なう音声ファイルが決定された場合、制御部１１は付加情報からリンク可能な楽曲ファイルを検索する（ステップＳ６−３）。そして、制御部１１は、検索されたＴＯＣデータ３０１についての楽曲ファイルの候補リストを表示部１８に表示し、選択を促す（ステップＳ６−４）。リンク処理を行なう楽曲ファイルが決定された場合、制御部１１は、リンクデータ１６１として、抽出したＴＯＣデータ３０１を書き込む（ステップＳ６−６）。これにより、利用者は、録音された音声ファイルに関連性がある楽曲ファイルの中から選択することができる。
【００６４】
・  上記実施形態では、自動リンクモードにおいて、リンク処理を行なう音声ファイルが決定された場合、制御部１１は付加情報からリンク可能な楽曲ファイルを検索する（ステップＳ７−３）。更に、制御部１１は、検索された楽曲ファイルについての関連度評価を行なう（ステップＳ７−４）。そして、最も関連度の高い楽曲ファイルをリンク先として決定し、制御部１１は、リンクデータ１６１として、抽出したＴＯＣデータ３０１を書き込む（ステップＳ７−５）。これにより、関連性の高い音声と楽曲とを連続して聴くことができる。
【００６５】
・  上記実施形態では、分割リンクモードにおいて、リンク処理を行なう音声ファイルが決定された場合、制御部１１は、決定された音声ファイルの中から分割可能部分を検索する（ステップＳ８−３）。分割可能部分を検出できた場合には、音声ファイルを分割する（ステップＳ８−５）。そして、制御部１１は付加情報からリンク可能な楽曲ファイルを検索する（ステップＳ８−６）。更に、制御部１１は、検索された楽曲ファイルについての関連度評価を行なう（ステップＳ８−７）。そして、リンク処理を行なう楽曲ファイルが決定された場合、制御部１１は、リンクデータ１６１として、抽出したＴＯＣデータ３０１を書き込む（ステップ８−８）。これにより、長時間の録音を行なった場合にも、分割してリンクを行うことができる。そして、音楽と音声とを交互に聴くことができる。
【００６６】
・  上記実施形態では、リンク再生モードにおいては、レコーダ部１６に記録された音声ファイルを再生する場合、この音声ファイルにリンクされた楽曲ファイルを検索しながら、音声ファイルと楽曲ファイルとを交互に再生する。一方、単一再生モードが選択された場合には、音声データ１６０のみの再生を行なう。これにより、多様な形態で楽曲を再生することができる。
【００６７】
なお、上記実施形態は、以下の態様に変更してもよい。
○  上記実施形態では、音声データ１６０とＣＤデータ３００とをリンクデータ１６１を用いてリンクした。このリンクデータ１６１には、ＴＯＣデータのリンク先のタイトル、アーティスト名、アルバム名、トラック番号等に関するデータを含んで構成される。リンクデータ１６１は、他方のファイルを特定できるものであれば、他のリンクデータを用いてもよい。例えば、ハードディスクに記録した音楽ファイルでは、その記録先アドレスをリンクデータとして用いることができる。これにより、多様な音源としての記憶手段を利用することができる。
【００６８】
○  上記実施形態では、受信部１５で受信したＦＭ放送を録音した音声データ１６０を、レコーダ部１６に記録した。このレコーダ部１６に記録される音声データ１６０は、ＤＪによる音楽番組の他、ラジオドラマ、朗読、ニュース等であってもよい。また、アーティスト自身が、自身の曲を紹介した音声データを用いてもよい。また、音声のオーディオソースとして、ＦＭ放送に限定されるものではなく、ＡＭ放送、テレビ放送であってもよい。さらに、音楽番組に連動して放送される多重放送において、副音声信号を記録してもよい。
【００６９】
○  上記実施形態では、リンク再生モードでは、音声ファイルにリンクされた楽曲ファイルを検索しながら、音声ファイルと楽曲ファイルとを交互に再生する。リンクされた楽曲を再生する方法はこれに限られるものではなく、両者を並行して再生してもよい。これにより、音声に対して、楽曲をバックグラウンド音楽（ＢＧＭ）のように利用することができる。
【００７０】
○  上記実施形態では、再生を開始する音声データ１６０が指定された場合、制御部１１は、この音声データ１６０に続く録音ファイル識別子の連番順に再生を実行する。これに代えて、ＣＤ３０の再生に基づいて、音声データ１６０を再生してもよい。この場合、再生するコンテンツデータ３０２が特定された場合、制御部１１は、このＴＯＣデータ３０１に関連するリンクデータ１６１を含む音声データ１６０を、レコーダ部１６において検索する。そして、音声データ１６０を特定できた場合、ＣＤ３０のコンテンツデータ３０２の再生の前または後に出力する。これにより、ＣＤ３０記録された音楽等を中心に楽しむことができる。
【図面の簡単な説明】
【００７１】
【図１】本発明の実施形態のシステム概略図。
【図２】レコーダ部に記録されたデータの説明図。
【図３】本実施形態における全体の処理手順の説明図。
【図４】本実施形態における手動録音モード処理の説明図。
【図５】本実施形態における電子番組表利用録音モード処理の説明図。
【図６】本実施形態における番組連動情報利用録音モード処理の説明図。
【図７】本実施形態における手動リンクモード処理の説明図。
【図８】本実施形態における候補選択リンクモード処理の説明図。
【図９】本実施形態における自動リンクモード処理の説明図。
【図１０】本実施形態における分割リンクモード処理の説明図。
【符号の説明】
【００７２】
１０…オーディオ装置としてのＣＤ再生装置、１１…制御手段としての制御部、１５…受信手段として受信部、１６…第１のオーディオソース、リンクデータ記憶手段としてのレコーダ部、１６１…リンクデータ、第２のオーディオソースとしてのＣＤ、３０２…オーディオファイルとしてのコンテンツデータ。
【図１】
2006114179.tif 000003
【図２】
2006114179.tif 000004
【図３】
2006114179.tif 000005
【図４】
2006114179.tif 000006
【図５】
2006114179.tif 000007
【図６】
2006114179.tif 000008
【図７】
2006114179.tif 000009
【図８】
2006114179.tif 000010
【図９】
2006114179.tif 000011
【図１０】
2006114179.tif 000012